(57)【要約】【課題】回転可能に支持されたテンションアームに取り付けたテンションローラを介して回転支点にセットしたロール媒体を搬送ローラにセットして搬送可能にするテンションローラ機構は、ロール紙を搬送ローラにセットする際に、テンションローラがふらふら動いてしまうためにセット作業がしにくいという問題がある。【解決手段】テンションアームのテンションローラを取り付けた個所より先方に突出する突出部を設け、装置本体に回動可能に設けてある開口扉にレバーをスプリングを介して回動可能に取り付け、このレバーの端部を前記突出部の回転軌跡上に位置するように配置し、開口扉に前記レバーを作動させるブラケットを取り付け、開口扉を開けた状態で前記ブラケットからレバーが外れてレバーにテンションアームの突出部が係止してテンションアームの動きがロックされることを特徴とする。【選択図】図１
2010208829.tif 000002
【特許請求の範囲】
【請求項１】
回転可能に支持されたテンションアームに取り付けたテンションローラを介して回転支点にセットしたロール媒体を搬送ローラにセットして搬送可能にするテンションローラ機構において、
テンションアームのテンションローラを取り付けた個所より先方に突出する突出部を設け、
装置本体に回動可能に設けてある開口扉にレバーをスプリングを介して回動可能に取り付け、このレバーの端部を前記突出部の回転軌跡上に位置するように配置し、開口扉に前記レバーを作動させるブラケットを取り付け、開口扉を開けた状態で前記ブラケットからレバーが外れてレバーにテンションアームの突出部が係止してテンションアームの動きがロックされることを特徴とするテンションローラ機構。
【発明の詳細な説明】
【技術分野】
【０００１】
本発明は、ロール紙等のロール状媒体を繰出す際に、ロール状媒体にかかる負荷を軽減させるテンションローラ機構に関する。
【背景技術】
【０００２】
一般にテンションローラ機構は、図４に示すような構成である。図において、１０１はテンションローラであり、テンションアーム１０２の一端に取り付けられている。このテンションアーム１０２は、回転支点１０４により回転可能に支持され、他端はテンションスプリング１０５によって矢印１０９方向に引かれている。
【０００３】
１０３は搬送ローラ、１０６はロール紙１０７の回転支点であり、この回転支点１０６にセットされたロール紙１０７は媒体搬送ルート１０８を通って搬送ローラ１０３にセットされる。
【０００４】
このようにセットされたロール紙１０７は、図示しないセンサによって検知され、図示しないアクチュエータによって回転した搬送ローラ１０３によって順次に引き出されることになる。
【０００５】
図示しない制御部より発券の指示が出ると、搬送ローラ１０３が回転してロール紙１０７を繰り出させながら矢印１１０方向に搬送する。この搬送する際に、ロール紙１０７の重みにより搬送ローラ１０３に急激な負荷がかからないようにテンションローラ１０２によって負荷を吸収する構造になっている（例えば、特許文献１参照、特許文献２参照）。
【先行技術文献】
【特許文献】
【０００６】
【特許文献１】特開平７−２５１９９２号公報
【特許文献２】特開２００８−１３７８０５公報
【発明の概要】
【発明が解決しようとする課題】
【０００７】
しかしながら、上述した従来の技術によると、ロール紙を搬送ローラにセットする際に、テンションローラがふらふら動いてしまうためにセット作業がしにくく、さらに、搬送ローラにセットしたロール紙がテンションローラにより引っ張られてセットした搬送ローラから外れてしまうという問題がある。
【０００８】
本発明は、このような問題を解決することを課題とする。
【課題を解決するための手段】
【０００９】
そこで本発明は、回転可能に支持されたテンションアームに取り付けたテンションローラを介して回転支点にセットしたロール媒体を搬送ローラにセットして搬送可能にするテンションローラ機構において、装置本体に回動可能に設けてある開口扉にレバーをスプリングを介して回動可能に取り付け、このレバーの端部を前記突出部の回転軌跡上に位置するように配置し、開口扉には前記レバーを作動させるブラケットを取り付け、開口扉を開けた状態で前記ブラケットからレバーが外れてレバーにテンションアームの突出部が係止してテンションアームの動きがロック、これによって、安定した状態でロール媒体を搬送ローラにセットすることができ、開口扉を閉じると前記ブラケットにレバーが係止してレバーをスプリングの発力に対抗して回動させてレバーからテンションアームの突出部の係止が外れてテンションアームが回動可能になるように構成した。
【発明の効果】
【００１０】
このようにした本発明は、ロール紙のセット時に、開口扉を開けると、テンションアームがロック状態となり、ロール紙を搬送ローラにセットする際のテンションローラのふらつきを抑えることができることになる。
【００１１】
また、テンションアーム（テンションローラ）がロックされることにより、搬送ローラからセットの途中でロール紙が外れることもなくなるという効果が得られる。
【図面の簡単な説明】
【００１２】
【図１】実施例を示す側面説明図
【図２】開扉状態の平面説明図
【図３】閉扉状態の平面説明図
【図４】従来例を示す側面説明図
【発明を実施するための形態】
【００１３】
以下、図面を参照して本発明の実施例を説明する。
【実施例】
【００１４】
図１は実施例を示す側面説明図、図２は開扉状態の平面説明図、図３は閉扉状態の平面説明図である。
【００１５】
図において、１はテンションローラであり、テンションアーム２に取り付けられており、テンションアーム２にはテンションローラ１を取り付けた個所より先方に突出した突出部２Ａを有している。このテンションアーム２は、回転支点３により回転可能に支持され、他端はテンションスプリング５によって矢印９方向に引かれている。
【００１６】
４は搬送ローラ、６はロール紙７の回転支点であり、この回転支点６にセットされたロール紙７は媒体搬送ルート８を通って搬送ローラ４にセットされる。
【００１７】
このようにセットされたロール紙７は、図示しないセンサによって検知され、図示しないアクチュエータによって回転した搬送ローラ４によって順次に引き出される。
【００１８】
そこで、図示しない制御部より発券の指示が出ると、搬送ローラ４が回転してロール紙７を繰り出させながら矢印１０方向に搬送する。この搬送する際に、ロール紙７の重みにより搬送ローラ４に急激な負荷がかからないようにテンションローラ１によって負荷を吸収する構造になっている。
【００１９】
１１はレバーであり、回転支点１２を介してテンションアーム２の突出部２Ａが当接する位置にテンションアーム２と直交する方向に回転するように取り付けられている。
【００２０】
１３はこのレバー１１の回転支点１２に取り付けたコイルによるレバースプリングであり、レバー１１をその回転に対抗する方向に付勢している。１４は回転支点１２を取り付ける支点ブラケット、１５はこの支点ブラケット１４を取り付けるリアブラケットである。前記レバースプリング１３一端はレバー１１に、他端はリアブラケット１５に固定されており、前記の如く、回転支点１２を中心にレバー１１が矢印１９の方向に回転する力を作用させている。レバー１１がレバースプリング１３によって回転すると、レバー１１の後端部１１Ａにリアブラケット１５が干渉し、回転を抑制して回転動作を制限する構造となっている。
【００２１】
１７は開口扉であり、扉ブラケット１８が設けてあり、この扉ブラケット１８とリアブラケット１５は扉回転支点２０で連結されており、開口扉１７を矢印２１の範囲で動作させることができる。
【００２２】
上記構成の動作を説明する。
【００２３】
ロール紙７のセット時は、図２に示す如く、開口扉１７を開けると、レバースプリング１３に押圧されて、レバー１１の前端部１１Ｂは図１に示すテンションアーム２の回転軌跡１６上に飛び出し、レバー１１の前端部１１Ｂが当接してテンションアーム２はロック状態となり、これにより、テンションアーム２に取り付けられているテンションローラ１はロックされる。このテンションローラ１のロックにより、ロール紙７にテンションスプリング５の影響はなくなり、ロック状態が保たれて、ロール紙７から搬送ローラ４までの繰出し機構全体が固定した安定状態のもとでセット作業を行うことができる。
【００２４】
つぎに、ロール紙７の繰出し動作時は、図３に示す如く、開口扉１７を閉じると、レバー１１の後端部１１Ａが扉ブラケット１８によって押し込まれることになり、これによって、レバー１１の前端部１１Ｂがテンションアーム２の突出部２Ａから離れてテンションアーム２の回転軌跡１６より退避することになり、テンションアーム２の回動は自由になってロール紙の搬送が可能になる。
【００２５】
以上説明した本実施例によると、ロール紙のセット時に、開口扉を開けると、テンションアームがロック状態となり、ロール紙を搬送ローラにセットする際のテンションローラのふらつきを抑えることができることになる。
【００２６】
また、テンションアーム（テンションローラ）がロックされることにより、搬送ローラからセットの途中でロール紙が外れることもなくなる。
【符号の説明】
【００２７】
１  テンションローラ
２  テンションアーム
２Ａ  突出部
３  回転支点
４  搬送ローラ
５  テンションスプリング
６  回転支点
７  ロール紙
８  媒体搬送ルート
９  矢印
１０  矢印
１１  レバー
１１Ａ  後端部
１１Ｂ  前端部
１２  回転支点
１３  レバースプリング
１４  支点ブラケット
１５  リアブラケット
１６  回転軌跡
１７  開口扉
１８  扉ブラケット
１９  矢印
２０  扉回転支点
２１  矢印
【図１】
2010208829.tif 000003
【図２】
2010208829.tif 000004
【図３】
2010208829.tif 000005
【図４】
2010208829.tif 000006